(57)【要約】  本発明は、自体駆動熱圧縮式ヒートポンプ冷却方法に関するもので、熱圧縮式ヒートポンプ冷却循環の凝縮熱を利用して高温蒸気を製作して取り、熱圧縮式ヒートポンプ冷却循環の駆動熱源として、熱圧縮式ヒートポンプ冷却循環を駆動することに関する。前記自体駆動熱圧縮式ヒートポンプ冷却方法は、少量の電気エネルギー消費を必要とし、冷却作動流体蒸気の凝縮熱を利用して駆動蒸気を製作して取り、またシステム自体の循環過程で生成された熱量を利用して駆動熱源として、冷却と加熱を実現することにより、効率的にエネルギーを節約する。【選択図】図１
2017516057.tif 000002
【特許請求の範囲】
【請求項１】
熱圧縮式ヒートポンプ冷却循環の凝縮熱を利用して高温蒸気を製作して取って、熱圧縮式ヒートポンプ冷却循環の駆動熱源として、熱圧縮式ヒートポンプ冷却循環を駆動することを特徴とする自体駆動熱圧縮式ヒートポンプ冷却方法。
【請求項２】
前記熱圧縮式ヒートポンプ冷却循環は、吸収式ヒートポンプ冷却循環であることを特徴とする請求項１に記載の自体駆動熱圧縮式ヒートポンプ冷却方法。 
【請求項３】
前記吸収式ヒートポンプ冷却循環は、作動流体循環と溶液循環とから構成され、前記作動流体循環は、発生器（１）の冷却作動流体側と、蒸気圧縮機（２）と、発生器（１）の熱源側と、第１スロットルバルブ（３）と、蒸発器（４）と、吸収器（５）と、溶液ポンプ（６）と、溶液熱交換器（７）と、発生器（１）の冷却作動流体側とが、配管を介して順に連結されてループになり、また前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項２に記載の自体駆動熱圧縮式ヒートポンプ冷却方法。
【請求項４】
前記吸収式ヒートポンプ冷却循環は、作動流体循環と溶液循環とから構成され、前記作動流体循環は、発生精留器（８）の冷却作動流体側と、蒸気圧縮機（２）と、発生精留器（８）の熱源側と、第１スロットルバルブ（３）と、蒸発器（４）と、吸収器（５）と、溶液ポンプ（６）と、溶液熱交換器（７）と、発生精留器（８）の冷却作動流体側とが、配管を介して順に連結されてループになり、前記溶液循環は、吸収器（５）と、溶液ポンプ（６）と、溶液熱交換器（７）と、発生器精留器（８）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項２に記載の自体駆動熱圧縮式ヒートポンプ冷却方法。 
【請求項５】
前記吸収式ヒートポンプ冷却循環は、作動流体循環と溶液循環とから構成され、前記作動流体循環は、発生器（１）の冷却作動流体側と、蒸気圧縮機（２）と、発生器（１）の熱源側と、第１スロットルバルブ（３）と、蒸発器（４）と、低圧圧縮機（９）と、吸収器（５）と、溶液ポンプ（６）と、溶液熱交換器（７）と、発生器（１）冷却作動流体側とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項２に記載の自体駆動熱圧縮式ヒートポンプ冷却方法。
【請求項６】
前記熱圧縮式ヒートポンプ冷却循環は、吸着式ヒートポンプ冷却循環であることを特徴とする請求項１に記載の自体駆動熱圧縮式ヒートポンプ冷却方法。 
【請求項７】
前記ヒートポンプ冷却循環は、吸着層（１０）の冷却作動流体側と、蒸気圧縮機（２）と、吸着層（１０）の熱源側と、第１バルブ（１２）と、第１アキュムレーター（１１）と、第２バルブ（１３）と、第１スロットルバルブ（３）と、蒸発器（４）と、吸着層（１０）の冷却作動流体側とが、配管を介して順に連結されてループになり、前記ヒートポンプ冷却循環システムは、作動流体と、作動流体に対して吸着力を有する吸着剤とから構成された作動流体対とが設けられていることを特徴とする請求項６に記載の自体駆動熱圧縮式ヒートポンプ冷却方法。 
【請求項８】
前記熱圧縮式ヒートポンプ冷却循環は、駆動循環とヒートポンプ冷却循環とを、含むことを特徴とする請求項１に記載の自体駆動熱圧縮式ヒートポンプ冷却方法。
【請求項９】
前記駆動循環は、蒸発器（４）と、凝縮器（１５）と、蒸発器（４）とが、配管を介して順に連結されてループになり、前記駆動循環システムには、作動流体が設けられ、また前記ヒートポンプ冷却循環は、作動流体循環と溶液循環とから構成され、前記作動流体循環は、発生器（１）と、凝縮器（１５）と、作動流体ポンプ（２７）と、蒸発器（４）と、吸収器（５）と、溶液ポンプ（６）と、溶液熱交換器（７）と、発生器（１）とが、配管を介して順に連結されてループになり、また前記溶液循環は、発生器（１）と、溶液熱交換器（７）と、流体ポンプ（６）と、吸収器（５）と、溶液熱交換器（７）と、発生器（１）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項８に記載の自体駆動熱圧縮式ヒートポンプ冷却方法。
【請求項１０】
前記駆動循環は、第１吸着層（１０）と、第２吸着層（２７）と、第１吸着層（１０）とが、配管を介して順に連結されてループになり、前記駆動循環システムには、作動流体が設けられており、前記ヒートポンプ冷却循環は、第１吸着層（１０）と、バルブ（２８）と、凝縮器（１５）と、作動流体ポンプ（２６）と、蒸発器（４）と、バルブ（３０）と、第２吸着層（２７）とが、配管を介して順に連結されることによって形成される経路と、第２吸着層（２７）と、バルブ（２９）と、凝縮器（１５）と、作動流体ポンプ（２６）と、蒸発器（４）と、バルブ（３１）と、第１吸着層（１０）とが、配管を介して順に連結されることによって形成される経路との二つの循環経路に分けられ、前記ヒートポンプ冷却循環システムには、作動流体と、作動流体に対して吸着力を有する吸着剤とから構成された作動流体対とが設けられ、また前記第１吸着層に一定量の作動流体が吸着されている吸着剤を充填し、前記第２吸着層に吸着された作動流体の量が少ない吸着剤を充填することを特徴とする請求項８に記載の自体駆動熱圧縮式ヒートポンプ冷却方法。
【請求項１１】
前記駆動循環は、発生器（１）と、吸収器（５）と、発生器（１）とが、配管を介して順に連結されてループになり、前記駆動循環システムには、作動流体が設けられており、前記ヒートポンプ冷却循環は作動流体循環と溶液循環とから構成され、前記作動流体循環は、発生器（１）と、凝縮器（１５）と、スロットルバルブ（３）と、蒸発器（４）と、吸収器（５）と、溶液ポンプ（６）と、溶液熱交換器（７）と、発生器（１）とが、配管を介して順に連結されてループになり、前記溶液循環は、発生器（１）と、溶液熱交換器（７）と、吸収器（５）と、溶液ポンプ（６）と、溶液熱交換器（７）と、発生器（１）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項８に記載の自体駆動熱圧縮式ヒートポンプ冷却方法。
【請求項１２】
前記駆動循環は、第１圧縮機（１４）と、発生器（１）と、第２スロットルバルブ（１６）と、凝縮器（１５）と、第１圧縮機（１４）とが、配管を介して連結されてループになり、また前記ヒートポンプ冷却循環は作動流体循環と溶液循環とから構成され、前記駆動循環システムには、作動流体が設けられており、前記作動流体循環は、発生器（１）と、凝縮器（１５）と、第１スロットルバルブ（３）と、蒸発器（４）と、吸収器（５）と、溶液ポンプ（６）と、溶液熱交換器（７）と、発生器（１）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項８に記載の自体駆動熱圧縮式ヒートポンプ冷却方法。 
【請求項１３】
前記駆動循環は、第１圧縮機（１４）と、発生精留器（８）と、第２スロットルバルブ（１６）と、凝縮器（１５）と、第１圧縮機（１４）とが、配管を介して順に連結されてループになり、前記駆動循環システムには、作動流体が設けられており、また前記ヒートポンプ冷却循環は、作動流体循環と溶液循環とから構成され、前記作動流体循環は、発生精留器（８）と、凝縮器（１５）と、第１スロットルバルブ（３）と、蒸発器（４）と、吸収器（５）と、溶液ポンプ（６）と、溶液熱交換器（７）と、発生精留器（８）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項８に記載の自体駆動熱圧縮式ヒートポンプ冷却方法。 
【請求項１４】
前記駆動循環は、第１圧縮機（１４）と、発生器（１）と、第２スロットルバルブ（１６）と、凝縮器（１５）と、第１圧縮機（１４）とが、配管を介して順に連結されてループになり、前記駆動循環システムには、作動流体が設けられており、また前記ヒートポンプ冷却循環は、作動流体循環と溶液循環とから構成され、前記作動流体循環は、発生器（１）と、凝縮器（１５）と、第１スロットルバルブ（３）と、蒸発器（４）と、低圧圧縮機（９）と、吸収器（５）と、溶液ポンプ（６）と、溶液熱交換器（７）と、発生器（１）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とｌから構成された作動流体対溶液とが設けられていることを特徴とする請求項８に記載の自体駆動熱圧縮式ヒートポンプ冷却方法。 
【請求項１５】
前記駆動循環は、第１圧縮機（１４）と、凝縮器として用いられる吸着層（１０）と、第２スロットルバルブ（１６）と、蒸発器として用いられる凝縮器（１５）と、第１圧縮機（１４）とが、配管を介して順に連結されてループになり、前記駆動循環システムには、作動流体が設けられており、前記ヒートポンプ冷却循環は、吸着層（１０）と、凝縮器（１５）と、第１バルブ（１２）と、第１アキュムレーター（１１）と、第２バルブ（１３）と、第１スロットルバルブ（３）と、蒸発器（４）と、吸着層（１０）とが、配管を介して順に連結されてループになり、前記ヒートポンプ冷却循環システムには、作動流体と、作動流体に対して吸着力を有する吸着剤とから構成された作動流体対とが設けられていることを特徴とする請求項８に記載の自体駆動熱圧縮式ヒートポンプ冷却方法。
【請求項１６】
前記駆動循環は、第２圧縮機（１８）と、凝縮器として用いられる発生器（１）と、第３スロットルバルブ（１７）と、蒸発器として用いられる吸収器（５）と、第２圧縮機（１８）とが、配管を介して順に連結されてループになり、前記駆動循環システムには、作動流体が設けられており、また前記ヒートポンプ冷却循環は、作動流体循環と溶液循環とから構成され、前記作動流体循環は、発生器（１）と、凝縮器（１５）と、第１スロットルバルブ（３）と、蒸発器（４）と、吸収器（５）と、溶液ポンプ（６）と、溶液熱交換器（７）と、発生器（１）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項８に記載の自体駆動熱圧縮式ヒートポンプ冷却方法。 
【請求項１７】
前記駆動循環は、第２圧縮機（１８）と、凝縮器として用いられる発生精留器（８）と、第３スロットルバルブ（１７）と、蒸発器として用いられる吸収器（５）と、第２圧縮機（１８）とが、配管を介して順に連結されてループになり、前記駆動循環システムには、作動流体が設けられ、前記ヒートポンプ冷却循環は、作動流体循環と溶液循環とから構成され、前記作動流体循環は、発生精留器（８）と、凝縮器（１５）と、第１ スロットルバルブ（３）と、蒸発器（４）と、吸収器（５）と、溶液ポンプ（６）と、溶液熱交換器（７）と、発生精留器（８）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項８に記載の自体駆動熱圧縮式ヒートポンプ冷却方法。 
【請求項１８】
前記駆動循環は、第２圧縮機（１８）と、蒸気蓄熱器（２２）と、第３バルブ（２３）と、凝縮器として用いられる吸着層（１０）と、第４バルブ（１９）と、第２アキュムレーター（２５）と、第５バルブ（２４）と、第３スロットルバルブ（１７）と、蒸発器として用いられる吸着層（１０）と、第６バルブ（２０）と、第２圧縮機（１８）とが、配管を介して順に連結されてループになり、前記駆動循環システムには、作動流体が設けられており、前記ヒートポンプ冷却循環は、吸着層（１０）と、凝縮器（１５）と、第１バルブ（１２）と、第１アキュムレーター（１１）と、第２バルブ（１３）と、第１スロットルバルブ（３）と、蒸発器（４）と、吸着層（１０）とが、配管を介して順に連結されてループになり、前記ヒートポンプ冷却循環システムには、作動流体と、作動流体に対して吸着力を有する吸着剤とから構成された作動流体対とが設けられていることを特徴とする請求項８に記載の自体駆動熱圧縮式ヒートポンプ冷却方法。
【発明の詳細な説明】
【技術分野】
【０００１】
本発明は、自体駆動熱圧縮式ヒートポンプ冷却方法に関するもので、ヒートポンプ冷却技術分野に属する。
【背景技術】
【０００２】
普通に用いられているヒートポンプ冷却方法には、蒸気圧縮式ヒートポンプ冷却、吸収式ヒートポンプ冷却及び吸着式ヒートポンプ冷却等があり、その中、特に蒸気圧縮式ヒートポンプ冷却、吸収式ヒートポンプ冷却に対する応用が最も一般的である。
【０００３】
蒸気圧縮式ヒートポンプの冷却熱係数はかなり高いが、駆動能源としてかなり多い電気エネルギーを消費しなければならない。熱圧縮ヒートポンプ冷却（吸収式冷却又は吸着式冷却）は、低いレベルの熱エネルギーを利用し駆動されることができて、電気エネルギーの消費はかなり少ないが、熱係数はかなり低くて、利用可能の廃熱がない場合、経済的には、蒸気圧縮式冷却に比べて、あまり優勢を占めてはないし、実際的には、どこでも廃熱が供給されて利用できるのではない。
【発明の概要】
【発明が解決しようとする課題】
【０００４】
本発明の目的は、高効率的な熱圧縮式ヒートポンプ冷却方法を提供することである。また本発明が解決しようとする問題は、さらに経済的で、便利な熱圧縮機駆動方法を探して、熱圧縮式ヒートポンプ冷却方法の適用範囲を広げることである。
【課題を解決するための手段】
【０００５】
本発明の課題解決手段は、自体駆動熱圧縮式ヒートポンプ冷却方法であって、熱圧縮式ヒートポンプ冷却循環の凝縮熱を利用して高温熱源を製作して取り、熱圧縮式ヒートポンプ冷却循環の駆動熱源として、熱圧縮式ヒートポンプ冷却循環を駆動動作させることにより、冷却を行うと同時に熱エネルギーを出力する。
【発明の効果】
【０００６】
本発明は、冷却作動流体蒸気の凝縮潜熱を利用して駆動熱源としたので、外部の高温で熱源を駆動する必要はないし、また凝縮過程における冷却水の消費も減少し、ただ少量の電気エネルギーを消費するだけで、冷却作動流体蒸気の凝縮潜熱を利用して駆動熱源を製作して取るので、省エネルギーの効果が良い。
【０００７】
さらに、前記熱圧縮式ヒートポンプ冷却循環は、吸収式ヒートポンプ冷却循環である。
【０００８】
さらに、前記吸収式ヒートポンプ冷却循環は、作動流体循環と溶液循環とから構成され、前記作動流体循環は、発生器の冷却作動流体側と、蒸気圧縮機と、発生器の熱源側と、第１スロットルバルブと、蒸発器と、吸収器と、溶液ポンプと、溶液熱交換器と、発生器の冷却作動流体側とが、配管を介して順に連結されてループになり、前記溶液循環は、吸収器と、溶液ポンプと、溶液熱交換器と、発生器と、溶液熱交換器と、吸収器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【０００９】
さらに、前記吸収式ヒートポンプ冷却循環は、作動流体循環と溶液循環とから構成され、前記作動流体循環は、発生精留器の冷却作動流体側と、蒸気圧縮機と、発生精留器の熱源側と、第１スロットルバルブと、蒸発器と、吸収器と、溶液ポンプと、溶液熱交換器と、発生精留器の冷却作動流体側とが、配管を介して順に連結されてループになり、前記溶液循環は、吸収器と、溶液ポンプと、溶液熱交換器と、発生器精留器と、溶液熱交換器と、吸収器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【００１０】
さらに、前記吸収式ヒートポンプ冷却循環は、作動流体循環と溶液循環とから構成され、前記作動流体循環は、発生器の冷却作動流体側と、蒸気圧縮機と、発生器熱源側と、第１スロットルバルブと、蒸発器と、低圧圧縮機と、吸収器と、溶液ポンプと、溶液熱交換器と、発生器の冷却作動流体側とが、配管を介して順に連結されてループになり、前記溶液循環は、吸収器と、溶液ポンプと、溶液熱交換器と、発生器と、溶液熱交換器と、吸収器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【００１１】
さらに、前記熱圧縮式ヒートポンプ冷却循環は、吸着式ヒートポンプ冷却循環である。
【００１２】
さらに、前記ヒートポンプ冷却循環は、吸着層の冷却作動流体側と、蒸気圧縮機と、吸着層の熱源側と、第１バルブと、第１アキュムレーターと、第２バルブと、第１スロットルバルブと、蒸発器と、吸着層の冷却作動流体側とが、配管を介して順に連結されてループになり、前記ヒートポンプ冷却循環システムには、作動流体と、作動流体に対して吸着力を有する吸着剤とから構成された作動流体対とが設けられている。
【００１３】
さらに、前記熱圧縮式ヒートポンプ冷却循環は、駆動循環とヒートポンプ冷却循環とを含む。
【００１４】
さらに、前記駆動循環は、蒸発器と、凝縮器と、蒸発器とが、配管を介して順に連結されてループになり、前記ヒートポンプ冷却循環は、作動流体循環と溶液循環とから構成され、前記作動流体循環は、発生器と、凝縮器と、作動流体ポンプと、蒸発器と、吸収器と、溶液熱交換器と、発生器とが、配管を介して順に連結されてループになり、前記溶液循環は、発生器と、溶液熱交換器と、流体ポンプと、吸収器と、溶液熱交換器と、発生器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【００１５】
さらに、前記駆動循環は、第１吸着層と、第２吸着層と、第１吸着層とが、配管を介して順に連結されてループになり、前記ヒートポンプ冷却循環は、第１吸着層と、バルブと、凝縮器と、作動流体ポンプと、蒸発器と、バルブと、第２吸着層とが、配管を介して順に連結されることによって形成される経路と、第２吸着層と、バルブと、凝縮器と、作動流体ポンプと、蒸発器と、バルブと、第１吸着層とが、配管を介して順に連結されることによって形成される経路との二つの循環経路に分けられており、前記ヒートポンプ冷却循環システムには、作動流体と、作動流体に対して吸着力を有する吸着剤とから構成された作動流体対とが設けられ、前記第１吸着層に一定量の作動流体が吸着されている吸着剤を充填し、前記第２吸着層に吸着された作動流体の量が少ない吸着剤を充填する。
【００１６】
さらに、前記駆動循環は、蒸発器と、凝縮器と、蒸発器とが、配管を介して順に連結されてループになり、前記ヒートポンプ冷却循環は、作動流体循環と溶液循環とから構成され、前記作動流体循環は、発生器と、凝縮器と、スロットルバルブと、蒸発器と、吸収器と、溶液熱交換器と、発生器とが、配管を介して順に連結されてループになり、前記溶液循環は、発生器と、溶液熱交換器と、吸収器と、溶液ポンプと、溶液熱交換器と、発生器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【００１７】
さらに、前記駆動循環は、第１圧縮機と、発生器と、第２スロットルバルブと、凝縮器と、第１圧縮機とが、配管を介して連結されてループになり、前記ヒートポンプ冷却循環は、作動流体循環と溶液循環とから構成され、前記作動流体循環は、発生器と、凝縮器と、第１スロットルバルブと、蒸発器と、吸収器と、溶液ポンプと、溶液熱交換器と、発生器とが、配管を介して順に連結されてループになり、前記溶液循環は、吸収器と、溶液ポンプと、溶液熱交換器と、発生器と、溶液熱交換器と、吸収器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【００１８】
さらに、前記駆動循環は、第１圧縮機と、発生精留器と、第２スロットルバルブと、凝縮器と、第１圧縮機とが、配管を介して順に連結されてループになり、前記ヒートポンプ冷却循環は、作動流体循環と溶液循環とから構成され、前記作動流体循環は、発生精留器と、凝縮器と、第１スロットルバルブと、蒸発器と、吸収器と、溶液ポンプと、溶液熱交換器と、発生精留器とが、配管を介して順に連結されてループになり、前記溶液循環は、吸収器と、溶液ポンプと、溶液熱交換器と、発生器と、溶液熱交換器と、吸収器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【００１９】
さらに、前記駆動循環は、第１圧縮機と、発生器と、第２スロットルバルブと、凝縮器と、第１圧縮機とが、配管を介して順に連結されてループになり、前記ヒートポンプ冷却循環は、作動流体循環と溶液循環とから構成され、前記作動流体循環は、発生器と、凝縮器と、第１スロットルバルブと、蒸発器と、低圧圧縮機と、吸収器と、溶液ポンプと、溶液熱交換器と、発生器とが、配管を介して順に連結されてループになり、前記溶液循環は、吸収器と、溶液ポンプと、溶液熱交換器と、発生器と、溶液熱交換器と、吸収器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【００２０】
さらに、前記駆動循環は、第１圧縮機と、凝縮器として用いられる吸着層と、第２スロットルバルブと、蒸発器として用いられる凝縮器と、第１圧縮機とが、配管を介して順に連結されてループになり、前記ヒートポンプ冷却循環は、吸着層と、凝縮器と、第１バルブと、第１アキュムレーターと、第２バルブと、第１スロットルバルブと、蒸発器と、吸着層とが、配管を介して順に連結されてループになる。前記ヒートポンプ冷却循環システムには、作動流体と、作動流体に対して吸着力を有する吸着剤とから構成された作動流体対とが設けられている。
【００２１】
さらに、前記駆動循環は、第２圧縮機と、凝縮器として用いられる発生器と、第３スロットルバルブと、蒸発器として用いられる吸収器と、第２圧縮機とが、配管を介して順に連結されてループになり、前記ヒートポンプ冷却循環は、作動流体循環と溶液循環とから構成され、前記作動流体循環は、発生器と、凝縮器と、第１スロットルバルブと、蒸発器と、吸収器と、溶液ポンプと、溶液熱交換器と、発生器とが、配管を介して順に連結されてループになり、前記溶液循環は、吸収器と、溶液ポンプと、溶液熱交換器と、発生器と、溶液熱交換器と、吸収器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【００２２】
さらに、前記駆動循環は、第２圧縮機と、凝縮器として用いられる発生精留器と、第３スロットルバルブと、蒸発器として用いられる吸収器と、第２圧縮機とが、配管を介して順に連結されてループになり、前記ヒートポンプ冷却循環は、作動流体循環と溶液循環とから構成され、前記作動流体循環は、発生精留器と、凝縮器と、第１スロットルバルブと、蒸発器と、吸収器と、溶液ポンプと、溶液熱交換器と、発生精留器とが、配管を介して順に連結されてループになり、前記溶液循環は、吸収器と、溶液ポンプと、溶液熱交換器と、発生器と、溶液熱交換器と、吸収器とが、配管を介して順に連結されてループになり、前記ヒートポンプ冷却循環システムには、冷却作動流体と、冷却作動流体における溶解度がかなり大きい物質とから構成された作動流体対溶液とが設けられている。
【００２３】
さらに、前記駆動循環は、第２圧縮機と、蒸気蓄熱器と、第３バルブと、凝縮器として用いられる吸着層と、第４バルブと、第２アキュムレーターと、第５バルブと、第３スロットルバルブと、蒸発器として用いられる吸着層と、第６バルブと、第２圧縮機とが、配管を介して順に連結されてループになり、前記ヒートポンプ冷却循環は、吸着層と、凝縮器と、第１バルブと、第１アキュムレーターと、第２バルブと、第１スロットルバルブと、蒸発器と、吸着層とが、配管を介して順に連結されてループになり、前記ヒートポンプ冷却循環システムには、作動流体と、作動流体に対して吸着力を有する吸着剤とから構成された作動流体対とが設けられている。
【図面の簡単な説明】
【００２４】
【図１】自体駆動吸収式ヒートポンプ冷却システムの模式図である。
【図２】精留塔が設けられた自体駆動吸収式ヒートポンプ冷却システムの模式図である。
【図３】低圧蒸気圧縮機が設けられた自体駆動吸収式ヒートポンプ冷却システムの模式図である。
【図４】自体駆動吸着式ヒートポンプ冷却システムの模式図である。
【図５】圧縮機のない自体駆動吸収式ヒートポンプ冷却システムの模式図である。
【図６】圧縮機のない自体駆動連続性吸着式ヒートポンプ冷却システムの模式図である。
【図７】昇圧蒸発の自体駆動吸収式ヒートポンプ冷却システムの構成図である。
【図８】複合自体駆動吸収式ヒートポンプ冷却システムの模式図である。
【図９】精留塔が設けられた複合自体駆動吸収式ヒートポンプ冷却システムの模式図である。
【図１０】低圧蒸気圧縮機が設けられた複合自体駆動吸収式ヒートポンプ冷却システムの模式図である。
【図１１】複合自体駆動吸着式ヒートポンプ冷却システムの模式図である。
【図１２】熱駆動を吸収する複合吸収式ヒートポンプ冷却システムの模式図である。
【図１３】熱駆動を吸収する複合精留塔が設けられた吸収式ヒートポンプ冷却システムの模式図である。
【図１４】熱駆動を吸着する複合吸着式ヒートポンプ冷却システムの模式図である。
【発明を実施するための形態】
【００２５】
以下、図面を参照して本発明に係る原理と特徴について説明をする。本発明に例示している実施例は、ただ本発明を解釈するためのものであり、本発明の範囲を限定するものではない。
【００２６】
自体駆動吸収式ヒートポンプ冷却システムは、図１に示すように、作動流体循環と溶液循環とから構成される。作動流体循環は、発生器１の冷却作動流体側と、蒸気圧縮機２と、発生器１の熱源側と、スロットルバルブ３と、蒸発器４と、吸収器５と、溶液ポンプ６と、溶液熱交換器７と、発生器１と、配管とが、順に連結されることによって形成される。溶液循環は、吸収器５と、溶液ポンプ６と、溶液熱交換器７と、発生器１と、溶液熱交換器７と、吸収器５とが、配管を介して順に連結されてループになる。前記ヒートポンプ冷却循環システムには、冷却作動流体と、冷却作動流体における溶解度がかなり大きい物質とから構成された作動流体対溶液とが設けられ、作動流体対希薄溶液は、発生器１の中で高圧冷却作動流体蒸気によって加熱されて、中圧冷却作動流体蒸気を生成し、中圧冷却作動流体蒸気は、蒸気圧縮機２の加圧昇温によって、高温高圧冷却作動流体蒸気になり、高圧冷却作動流体蒸気は、発生器１の熱源側に進入され駆動熱源として、希薄溶液に加熱を行い、自体は中圧冷却作動流体液体として凝縮され、中圧冷却作動流体液体は、スロットルバルブ３によって減圧され、蒸発器４の中で低圧で吸熱蒸発され、環境に低温を提供し、低圧冷却作動流体蒸気は、吸収器５に入って濃溶液に吸収され、環境に熱を提供し、希薄溶液は、溶液ポンプ６によって溶液熱交換器７に入って、発生器１からの濃溶液と熱交換した後、発生器１に入って、次の循環を始める。
【００２７】
精留塔が設けられた吸収式ヒートポンプ冷却システムは、図２に示すように、作動流体循環と溶液循環とから構成される。前記作動流体循環は、発生精留器８の冷却作動流体側と、蒸気圧縮機２と、発生精留器８の熱源側と、スロットルバルブ３と、蒸発器４と、吸収器５と、溶液ポンプ６と、溶液熱交換器７と、発生精留器８と、配管とが、順に連結されることによって形成される。前記溶液循環は、吸収器５と、溶液ポンプ６と、溶液熱交換器７と、発生器精留器８と、溶液熱交換器７と、吸収器５とが、配管を介して順に連結されてループになる。前記ヒートポンプ冷却循環システムには、冷却作動流体と、冷却作動流体における溶解度がかなり大きい物質とから構成された作動流体対溶液とが設けられ、作動流体対希薄溶液は、発生精留器８の中で高圧冷却作動流体蒸気によって加熱されて、作動流体対混合蒸気を生成し、作動流体対混合蒸気は、発生精留器８の上部の精留塔の中で精留によって、中圧冷却作動流体蒸気を生成し、中圧冷却作動流体蒸気は、蒸気圧縮機２の加圧昇温によって、高温冷却作動流体蒸気になり、高温冷却作動流体蒸気は発生精留器８の熱源側に進入され、駆動熱源として、希薄溶液を加熱し、自体に中圧冷却作動流体液体として凝縮され、中圧冷却作動流体液体は、スロットルバルブ３によって減圧され、蒸発器４の中で低圧で吸熱蒸発され、環境に低温を提供し、また低圧冷却作動流体蒸気は、吸収器５に入って濃溶液を吸収し、環境に熱を提供し、は、溶液ポンプ６のポンプリフトによって、発生精留器８からの濃溶液と熱交換した後、発生精留器８に入って、次の循環を始める。
【００２８】
低圧圧縮機が設けられた吸収式ヒートポンプ冷却システムは、図３に示すように、作動流体循環と溶液循環とから構成され、前記作動流体循環は、発生器１の冷却作動流体側と、蒸気圧縮機２と、発生器１の熱源側と、スロットルバルブ３と、蒸発器４と、低圧圧縮機９と、吸収器５と、溶液ポンプ６と、溶液熱交換器７と、発生器１と、配管とが、順に連結されることによって形成される。溶液循環は、吸収器５と、溶液ポンプ６と、溶液熱交換器７と、発生器１と、溶液熱交換器７と、吸収器５とが、配管を介して順に連結されてループになる。前記ヒートポンプ冷却循環システムには、冷却作動流体と、冷却作動流体における溶解度がかなり大きい物質とから構成された作動流体対溶液とが設けられ、作動流体対希薄溶液は、発生器１の中で高圧冷却作動流体蒸気によって加熱されて、中圧冷却作動流体蒸気を生成し、中圧冷却作動流体蒸気は、蒸気圧縮機２の加圧昇温によって、高温冷却作動流体蒸気になり、高温冷却作動流体蒸気は、発生器１の熱源側に進入され、希薄溶液を加熱し、自体は中圧冷却作動流体液体として凝縮され、中圧冷却作動流体液体は、スロットルバルブ３によって減圧され、蒸発器４の中で低圧で吸熱蒸発され、環境に低温を提供し、低圧冷却作動流体蒸気は、低圧圧縮機９によって加圧されて、吸収器５に入って、吸収器５の中の濃溶液に吸収され、環境に熱を提供し、希薄溶液は、溶液ポンプ６によって溶液熱交換器７に入って、発生器１からの濃溶液と熱交換した後、発生器１に入って、次の循環を始める。
【００２９】
自体駆動間欠性吸着式ヒートポンプ冷却システムは、図４に示すように、吸着層１０の冷却作動流体側と、蒸気圧縮機２と、吸着層１０の熱源側と、バルブ１２と、アキュムレーター１１と、バルブ１３と、スロットルバルブ３と、蒸発器４と、吸着層１０の冷却作動流体側と、配管とが、順に連結されることによって形成される。前記ヒートポンプ冷却循環システムには、作動流体と、作動流体に対して吸着力を有する吸着剤とから構成された作動流体対とが設けられている。脱着段階において、バルブ１２をオンにし、バルブ１３をオフにする。作動流体は、吸着層１０で高圧冷却作動流体蒸気によって加熱脱着され、中圧冷却作動流体蒸気を生成し、中圧冷却作動流体蒸気は、蒸気圧縮機２によって加圧昇温され、高温冷却作動流体蒸気になり、高温冷却作動流体蒸気は、吸着層１０の熱源側に進入されて、駆動熱源として、吸着層１０を加熱し、自体に中圧冷却作動流体液体として凝縮され、中圧冷却作動流体液体は、液体貯蔵タンク１１に貯蔵する。冷却吸着段階において、バルブ１２をオフにし、バルブ１３をオンにする。アキュムレーター１１の中の中圧冷却作動流体液体は、スロットルバルブ３によって減圧され、蒸発器４の中で低圧で吸熱蒸発され、環境に低温を提供し、低圧冷却作動流体蒸気は吸着層１０に入って吸着され、続いて次の循環を始める。
【００３０】
複合自体駆動吸収式ヒートポンプ冷却システムは、図５に示すように、駆動循環とヒートポンプ冷却循環とから構成される。前記駆動循環は、蒸発器４と、凝縮器１５と、蒸発器４とが、配管を介して順に連結されてループになる。熱媒体は、凝縮器１５から吸熱して、凝縮器の中の冷却作動流体蒸気に対して冷却を行い、自体のエンタルピーが増加されて、蒸発器４に入って、熱量蒸発器の中の冷却作動流体に伝え、それを蒸発させ、自体のエンタルピーを低下させる。前記ヒートポンプ冷却循環は、作動流体循環と溶液循環とから構成され、前記作動流体循環は、発生器１と、凝縮器１５と、作動流体ポンプ２６と、蒸発器４と、吸収器５と、溶液ポンプ６と、溶液熱交換器７と、発生器１とが、配管を介して順に連結されてループになり、前記溶液循環は、発生器１と、溶液熱交換器７と、流体ポンプ６と、吸収器５と、溶液熱交換器７と、発生器１とが、配管を介して順に連結されてループになり、前記ヒートポンプ冷却循環システムには、冷却作動流体と、冷却作動流体における溶解度がかなり大きい物質とから構成された作動流体対溶液とが設けられている。作動流体対希薄溶液は発生器１の中で加熱され、冷却作動流体蒸気を生成し、凝縮器１５に入って、冷却作動流体液体として凝縮され、冷却作動流体液体は作動流体ポンプ２６によって昇圧され、蒸発器４の中で吸熱蒸発され、環境に低温を提供し、冷却作動流体蒸気は、吸収器５に入って濃溶液に吸収されて、環境に熱を提供し、希薄溶液は、溶液ポンプ６によって溶液熱交換器７に入って、発生器１からの濃溶液と熱交換した後、発生器１に入って、次の循環を始める。
【００３１】
複合自体駆動吸着式ヒートポンプ冷却システムは、図６に示すように、駆動循環とヒートポンプ冷却循環とから構成される。前記駆動循環は、第１吸着層１０と、第２吸着層２７と、第１吸着層１０とが、配管を介して順に連結されてループになり、第１吸着層１０の脱着段階と、第２吸着層２７の吸着段階とにおいて、熱媒体は、第２吸着層２７で吸熱して、エンタルピーが増加されて、第１吸着層１０に入って、吸着層を加熱することにより、エンタルピーが低下され、前記ヒートポンプ冷却循環は、第１吸着層１０と、バルブ２８と、凝縮器１５と、作動流体ポンプ２６と、蒸発器４と、バルブ３０と、第２吸着層２７と、配管とが、順に連結されることによって形成される経路と、第２吸着層２７と、バルブ２９と、凝縮器１５と、作動流体ポンプ２６と、蒸発器４と、バルブ３１と、第１吸着層１０とが、配管を介して順に連結されることによって形成される経路との二つの循環経路に分けられ、前記ヒートポンプ冷却循環システムには、作動流体と、作動流体に対して吸着力を有する吸着剤とから構成された作動流体対とが設けられ、前記第１吸着層に一定量の作動流体が吸着されている吸着剤を充填し、前記第２吸着層に吸着された作動流体の量が少ない吸着剤を充填する。第１吸着層１０脱着段階と、第２吸着層２７吸着段階とにおいて、バルブ２８と、バルブ３０とをオンにし、バルブ２７と、バルブ３１とをオフにする。作動流体は、第１吸着層１０で加熱脱着され、冷却作動流体蒸気を生成し、冷却作動流体蒸気は凝縮器１５入って、冷却作動流体液体として凝縮され、冷却作動流体液体は、作動流体ポンプ２６によって昇圧され、蒸発器４に入って吸熱蒸発され、冷却作動流体蒸気を生成し、冷却作動流体蒸気は、第２吸着層２７に入って吸着され、環境に放熱する。第１吸着層１０吸着段階と、第２吸着層２７脱着段階とにおいて、バルブ２９と、バルブ３１とをオンにし、バルブ２８と、バルブ３０とをオフにする。作動流体は、第２吸着層２７で加熱脱着され、冷却作動流体蒸気を生成し、冷却作動流体蒸気は、凝縮１５器に入って、冷却作動流体液体として凝縮され、冷却作動流体液体は、作動流体ポンプ２６によって昇圧され、蒸発器４に入って吸熱蒸発され、冷却作動流体蒸気を生成し、冷却作動流体蒸気は、第１吸着層１０上で吸着されて、環境に放熱する。続いて次の循環を始める。
【００３２】
複合自体駆動吸収式ヒートポンプ冷却システムは、図７示すように、駆動循環とヒートポンプ冷却循環とから構成される。前記駆動循環は、発生器１と、吸収器５と、発生器１とが、配管を介して順に連結されてループになり、熱媒体は、吸収器５の中で吸熱することにより、エンタルピーが増加され、また発生器１に入って発生器１を加熱することにより、エンタルピーが低下されて、吸収器５に入って、次の循環を始める。前記ヒートポンプ冷却循環は、作動流体循環と溶液循環とから構成され、前記作動流体循環は、発生器１と、凝縮器１５と、スロットルバルブ３と、蒸発器４と、吸収器５と、溶液ポンプ６と、溶液熱交換器７と、発生器１とが、配管を介して順に連結されてループになり、前記溶液循環は、発生器１と、溶液熱交換器７と、吸収器５と、溶液ポンプ６と、溶液熱交換器７と、発生器１とが、配管を介して順に連結されてループになり、前記ヒートポンプ冷却循環システムには、冷却作動流体と、冷却作動流体における溶解度がかなり大きい物質とから構成された作動流体対溶液とが設けられている。作動流体対希薄溶液は、発生器１の中で加熱され、冷却作動流体蒸気を生成し、凝縮器１５に入って、冷却作動流体液体として凝縮され、冷却作動流体液体は、スロットルバルブ３によって減圧され、蒸発器４の中で吸熱蒸発され、環境に低温を提供し、冷却作動流体蒸気は、吸収器５に入って濃溶液に吸収され、環境に熱を提供し、希薄溶液は、溶液ポンプ６によって溶液熱交換器７に入って、発生器１からの濃溶液によって熱交換した後、発生器１に入って、次の循環を始める。
【００３３】
複合自体駆動吸収式ヒートポンプ冷却システムは、図８に示すように、駆動循環と吸収式ヒートポンプ冷却循環とから構成され、駆動循環は、圧縮機１４と、凝縮器として用いられる発生器１と、スロットルバルブ１６と、蒸発器として用いられる凝縮器１５と、圧縮機１４と、配管とが、連結されることによって形成される。駆動作動流体蒸気は、圧縮機１４によって圧縮加圧され、高圧駆動作動流体蒸気を生成し、高圧駆動作動流体蒸気作駆動熱源は、凝縮器として用いられる発生器１を加熱し、自体に駆動作動流体液体として凝縮され、駆動作動流体液体は、スロットルバルブ１６によってスロットル減圧され、蒸発器として用いられる凝縮器１５に入って、吸熱蒸発され、駆動作動流体蒸気は、圧縮機１４に入って、次の循環を始める。吸収式ヒートポンプ冷却循環は、作動流体循環と溶液循環とから構成される。前記作動流体循環は、発生器１と、凝縮器１５と、スロットルバルブ３と、蒸発器４と、吸収器５と、溶液ポンプ６と、溶液熱交換器７と、発生器１と、配管とが、順に連結されることによって形成される。前記溶液循環は、吸収器５と、溶液ポンプ６と、溶液熱交換器７と、発生器１と、溶液熱交換器７と、吸収器５とが、配管を介して順に連結されてループになり、前記ヒートポンプ冷却循環システムには、冷却作動流体と、冷却作動流体における溶解度がかなり大きい物質とから構成された作動流体対溶液とが設けられている。作動流体対希薄溶液は、発生器１の中で駆動蒸気によって加熱され、冷却作動流体蒸気を生成し、冷却作動流体蒸気は、凝縮器１５の中で冷却作動流体液体として凝縮され、冷却作動流体液体は、スロットルバルブ３によって減圧され、蒸発器４の中で低圧で吸熱蒸発され、環境に低温を提供し、低圧冷却作動流体蒸気は、吸収器５に入って濃溶液に吸収され、環境に熱を提供し、希薄溶液は、溶液ポンプ６によって溶液熱交換器７に入って、発生器１からの濃溶液と熱交換した後、発生器１に入って、次の循環を始める。
【００３４】
精留塔が設けられた複合自体駆動吸収式ヒートポンプ冷却システムは、図９に示すように、システムは、駆動循環と吸収式ヒートポンプ冷却循環とから構成され、駆動循環は、圧縮機１４と、凝縮器として用いられる発生精留器８と、スロットルバルブ１６と、蒸発器として用いられる凝縮器１５と、圧縮機１４と、配管とが、順に連結されることによって形成される。駆動作動流体蒸気は、圧縮機１４によって圧縮加圧され、高温駆動作動流体蒸気を生成し、駆動作動流体蒸気は、駆動熱源として、凝縮器として用いられる発生精留器８を加熱し、自体に駆動作動流体液体として凝縮され、駆動作動流体液体は、スロットルバルブ１６によってスロットル減圧され、蒸発器として用いられる凝縮器１５に入って、吸熱蒸発され、駆動作動流体蒸気は圧縮機１４に入って、次の循環を始める。吸収式ヒートポンプ冷却循環は、作動流体循環と溶液循環とから構成され、作動流体循環は、発生精留器８と、凝縮器１５と、スロットルバルブ３と、蒸発器４と、吸収器５と、溶液ポンプ６と、溶液熱交換器７と、発生精留器８と、配管とが、順に連結されることによって形成される。前記溶液循環は、吸収器５と、溶液ポンプ６と、溶液熱交換器７と、発生器精留器８と、溶液熱交換器７と、吸収器５とが、配管を介して順に連結されてループになり、前記ヒートポンプ冷却循環システムには、冷却作動流体と、冷却作動流体における溶解度がかなり大きい物質とから構成された作動流体対溶液とが設けられている。作動流体対希薄溶液は、発生精留器８の中で駆動蒸気によって加熱され、冷却作動流体蒸気を生成し、冷却作動流体蒸気は、凝縮器１５の中で冷却作動流体液体として凝縮され、冷却作動流体液体は、スロットルバルブ３によってスロットル減圧され、蒸発器４の中で低圧で吸熱蒸発され、環境に低温を提供し、低圧冷却作動流体蒸気は、吸収器５に入って濃溶液に吸収され、環境に熱を提供し、希薄溶液は、溶液ポンプ６によって溶液熱交換器７に入って、発生精留器８からの濃溶液と熱交換した後、発生精留器８に入って、次の循環を始める。
【００３５】
低圧蒸気圧縮機が設けられた複合自体駆動吸収式ヒートポンプ冷却システムは、図１０に示すように、システムは、駆動循環と吸収式ヒートポンプ冷却循環とから構成され、駆動循環は、圧縮機１４と、凝縮器として用いられる発生器１と、スロットルバルブ１６と、蒸発器として用いられる凝縮器１５と、圧縮機１４と、配管とが、連結されることによって形成される。駆動作動流体蒸気は、圧縮機１４によって圧縮加圧され、高圧駆動作動流体蒸気を生成し、駆動作動流体蒸気は、駆動熱源として、凝縮器として用いられる発生器１を加熱し、自体に駆動作動流体液体として凝縮され、駆動作動流体液体は、スロットルバルブ１６によってスロットル減圧され、蒸発器として用いられる凝縮器１５に入って、吸熱蒸発され、駆動作動流体蒸気は、圧縮機１４に入って、次の循環を始める。吸収式ヒートポンプ冷却循環は、作動流体循環と溶液循環とから構成され、前記作動流体循環は、発生器１と、凝縮器 １５と、スロットルバルブ３と、蒸発器４と、低圧圧縮機９と、吸収器５と、溶液ポンプ６と、溶液熱交換器７と、発生器１と、配管とが、順に連結されることによって形成される。前記溶液循環は、吸収器５と、溶液ポンプ６と、溶液熱交換器７と、発生器１と、溶液熱交換器７と、吸収器５とが、配管を介して順に連結されてループになり、前記ヒートポンプ冷却循環システムには、冷却作動流体と、冷却作動流体における溶解度がかなり大きい物質とから構成された作動流体対溶液とが設けられている。作動流体対希薄溶液は、発生器１の中で駆動蒸気によって加熱され、冷却作動流体蒸気を生成し、冷却作動流体蒸気は、凝縮器１５の中で冷却作動流体液体として放熱凝縮され、冷却作動流体液体は、スロットルバルブ３によってスロットル減圧され、蒸発器４の中で低圧で吸熱蒸発され、環境に低温を提供し、低圧冷却作動流体蒸気は、圧縮機９によって加圧圧縮された後、吸収器５に入って濃溶液に吸収され、環境に熱を提供し、希薄溶液は、溶液ポンプ６によって、溶液熱交換器７に入って、発生器１からの濃溶液と熱交換した後、発生器１に入って、次の循環を始める。
【００３６】
複合自体駆動吸着式ヒートポンプ冷却システムは、図１１に示すように、システムは、駆動循環と吸着式ヒートポンプ冷却循環とから構成される。駆動循環は、圧縮機１４と、凝縮器として用いられる吸着層１０と、スロットルバルブ１６と、蒸発器として用いられる凝縮器１５と、圧縮機１４と、配管とが、順に連結されることによって形成される。駆動作動流体蒸気圧縮機１４によって圧縮加圧され、高圧駆動作動流体蒸気を生成し、駆動作動流体蒸気は、駆動熱源として、凝縮器として用いられる吸着層１０を加熱し、自体に駆動作動流体液体として凝縮され、駆動作動流体液体は、スロットルバルブ１６によってスロットル減圧され、蒸発器として用いられる凝縮器１５に入って、吸熱蒸発され、駆動作動流体蒸気は、圧縮機１４に入って、次の循環を始める。吸着式ヒートポンプ冷却循環は、吸着層１０と、凝縮器１５と、バルブ１２と、アキュムレーター１１と、バルブ１３と、スロットルバルブ３と、蒸発器４と、吸着層１０と、配管とが、順に連結されることによって形成される。前記ヒートポンプ冷却循環システムには、作動流体と、作動流体に対して吸着力を有する吸着剤とから構成された作動流体対とが設けられている。脱着段階において、バルブ１２をオンにし、バルブ１３をオフにする。作動流体は、吸着層１０上で駆動蒸気によって加熱脱着され、冷却作動流体蒸気を生成し、冷却作動流体蒸気は、凝縮器１５の中で冷却作動流体液体として凝縮され、冷却作動流体液体はアキュムレーター１１に貯蔵する。冷却作動流体の吸着段階において、バルブ１２をオフにし、バルブ１３をオンにする。アキュムレーター１１の中の冷却作動流体液体は、スロットルバルブ３によって減圧され、蒸発器４の中で低圧で吸熱蒸発され、環境に低温を提供し、低圧冷却作動流体蒸気は、吸着層１０に入って吸着され、環境に熱を提供し、続いて次の循環を始める。
【００３７】
熱駆動を吸収する複合吸収式ヒートポンプ冷却システムは、図１２に示すように、システムは、駆動循環と吸収式ヒートポンプ冷却循環とから構成され、駆動循環は、圧縮機１８と、凝縮器として用いられる発生器１と、スロットルバルブ１７と、蒸発器として用いられる吸収器５と、圧縮機１８と、配管とが、順に連結されることによって形成される。駆動作動流体蒸気は、圧縮機１８によって圧縮加圧され、高圧駆動作動流体蒸気を生成し、駆動作動流体蒸気は、駆動熱源として、凝縮器として用いられる発生器１を加熱し、自体に駆動作動流体液体として凝縮され、駆動作動流体液体は、スロットルバルブ１７によってスロットル減圧され、蒸発器として用いられる吸収器５に入って、吸熱蒸発され、駆動作動流体蒸気は、圧縮機１８に入って、次の循環を始める。吸収式ヒートポンプ冷却循環は、作動流体循環と溶液循環とから構成される。前記作動流体循環は、発生器１と、凝縮器１５と、スロットルバルブ３と、蒸発器４と、吸収器５と、溶液ポンプ６と、溶液熱交換器７と、発生器１と、配管とが、順に連結されることによって形成される。前記溶液循環は、吸収器５と、溶液ポンプ６と、溶液熱交換器７と、発生器１と、溶液熱交換器７と、吸収器５とが、配管を介して順に連結されてループになり、前記ヒートポンプ冷却循環システムには、冷却作動流体と、冷却作動流体における溶解度がかなり大きい物質とから構成された作動流体対溶液とが設けられている。作動流体対希薄溶液は、発生器１の中で駆動蒸気によって加熱され、冷却作動流体蒸気を生成し、冷却作動流体蒸気は、凝縮器１５の中で冷却作動流体液体として凝縮され、冷却作動流体液体は、スロットルバルブ３によって減圧され、蒸発器４の中で低圧で吸熱蒸発され、環境に低温を提供し、低圧冷却作動流体蒸気は、吸収器５に入って濃溶液に吸収され、環境に熱を提供し、希薄溶液は、溶液ポンプ６によって溶液熱交換器７に入って、発生器１からの濃溶液と熱交換した後、発生器１に入って、次の循環を始める。
【００３８】
精留塔が設けられた複合自体駆動吸収式ヒートポンプ冷却システムは、図１３に示すように、システムは、駆動循環と吸収式ヒートポンプ冷却循環とから構成される。駆動循環は、圧縮機１８と、凝縮器として用いられる発生精留器８と、スロットルバルブ１７と、蒸発器として用いられる吸収器５と、圧縮機１８と、配管とが、順に連結されることによって形成される。駆動作動流体蒸気は、圧縮機１８によって圧縮加圧され、高圧駆動作動流体蒸気を生成し、作駆動熱源は、凝縮器として用いられる発生精留器８を加熱し、自体に駆動作動流体液体として凝縮され、駆動作動流体液体は、スロットルバルブ１７によってスロットル減圧され、蒸発器として用いられる吸収器５に入って吸熱蒸発され、駆動作動流体蒸気は、圧縮機１８に入って、次の循環を始める。吸収式ヒートポンプ冷却循環は、作動流体循環と溶液循環とから構成される。前記作動流体循環は、発生精留器８と、凝縮器１５と、スロットルバルブ３と、蒸発器４と、吸収器５と、溶液ポンプ６と、溶液熱交換器７と、発生精留器８と、配管とが、順に連結されることによって形成される。前記溶液循環は、吸収器５と、溶液ポンプ６と、溶液熱交換器７と、発生器１と、溶液熱交換器７と、吸収器５とが、配管を介して順に連結されてループになり、前記ヒートポンプ冷却循環システムには、冷却作動流体と、冷却作動流体における溶解度がかなり大きい物質とから構成された作動流体対溶液とが設けられている。作動流体対希薄溶液は、発生精留器８の中で駆動蒸気によって加熱され、冷却作動流体蒸気を生成し、冷却作動流体蒸気は、凝縮器１５の中で冷却作動流体液体として凝縮され、冷却作動流体液体は、スロットルバルブ３によって減圧され、蒸発器４の中で低圧で吸熱蒸発され、環境に低温を提供し、低圧冷却作動流体蒸気は、吸収器５に入って濃溶液に吸収され、環境に熱を提供し、希薄溶液は、溶液ポンプ６によって溶液熱交換器７に入って、発生精留器８からの濃溶液と熱交換した後、発生精留器８に入って、次の循環を始める。
【００３９】
熱駆動を吸着する複合吸着式ヒートポンプ冷却システムは、図１４に示すように、システムは、駆動循環と吸着式ヒートポンプ冷却循環とから構成される。駆動循環は、圧縮機１８と、蒸気蓄熱器２２と、バルブ２３と、凝縮器として用いられる吸着層１０と、バルブ１９と、アキュムレーター２５と、バルブ２４と、スロットルバルブ１７と、蒸発器として用いられる吸着層１０と、バルブ２０と、圧縮機１８と、配管とが、順に連結されることによって形成される。脱着段階において、バルブ２３と、バルブ１９とをオンにし、バルブ２４と、バルブ２０とをオフにする、蒸気蓄熱器２２の中の高圧駆動作動流体蒸気は、吸着層１０に入って、駆動熱源として、自体に駆動作動流体液体として凝縮され、アキュムレーター２５に入って貯蔵する。吸着段階において、バルブ２４、バルブ２０オンにし、バルブ２３と、バルブ１９とをオフにする。アキュムレーター２５の中の駆動作動流体液体は、スロットルバルブ１７によってスロットル減圧され、蒸発器として用いられる吸着層１０吸着熱を吸収した後蒸発し、駆動作動流体蒸気は、圧縮機１８によって圧縮加圧され、高圧駆動作動流体蒸気を生成し、蒸気蓄熱器２２に入って貯蔵する。吸着式ヒートポンプ冷却循環は、吸着層１０と、凝縮器１５と、バルブ１２と、アキュムレーター１１と、バルブ１３と、スロットルバルブ３と、蒸発器４と、吸着層１０と、配管とが、順に連結されることによって形成される。前記ヒートポンプ冷却循環には、システム作動流体と、作動流体に対して吸着力を有する吸着剤とから構成された作動流体対とが設けられている。脱着段階において、バルブ１２をオンにし、バルブ１３をオフにする。作動流体は、吸着層１０で駆動蒸気に加熱脱着され、冷却作動流体蒸気を生成し、冷却作動流体蒸気は、凝縮器１５の中で冷却作動流体液体として凝縮され、冷却作動流体液体は、アキュムレーター１１に貯蔵する。冷却作動流体の吸着段階において、バルブ１２をオフにし、バルブ１３をオンにする。アキュムレーター１１の中の冷却作動流体液体は、スロットルバルブ３によって減圧され、蒸発器４の中で吸熱蒸発され、環境に低温を提供し、低圧冷却作動流体蒸気は、吸着層１０に入って吸着され、次の循環を始める。
【００４０】
本発明の効果は次のようである。本発明は、冷却作動流体蒸気利用した凝縮潜熱を駆動熱源としたので、外部の高温で熱源を駆動する必要はないし、また凝縮過程における冷却水の消費も減少し、ただ少量の電気エネルギーを消費するだけで、冷却作動流体蒸気の凝縮潜熱を利用して駆動熱源を製作して取る。一般的に、１０００ＫＷの冷却量を提供し、圧縮機消費の電気エネルギーは、約３０乃至７０ＫＷであり、そのほか、圧縮過程においての蒸気圧縮機が増えたが、発生器の中で同時に発生と凝縮過程が行われるため、専用の凝縮器を減らした。本発明は、伝統的な蒸気圧縮式ヒートポンプ冷却方法とに比べ、エネルギー消費を約８０％以上減少した。一般的の吸収式ヒートポンプ冷却装置に比べ、中温の低いレベル熱源を必要としないし、燃料の消耗も必要としないので、自体駆動を実現し、廃熱の場所がなくても、ただ少量の電気エネルギーを消費するだけで、応用が可能になり、省エネルギーの効果が顕著である。
【００４１】
以上叙述したのは、本発明の好ましい実施例であるだけで、本発明を限定するためのものではなく、本発明の精神と原則の範囲内で行われたすべての改修、等同の置き換え、改進等のすべては、本発明の保護範囲内に含まなければならない。
【符号の説明】
【００４２】
１  発生器
２  蒸気圧縮機
３  スロットルバルブ
４  蒸発器  
５  吸収器
６  溶液ポンプ  
７  溶液熱交換器
８  発生精留器
９  低圧圧縮機
１０  吸着層
１１  アキュムレーター
１２  バルブ
１３  バルブ
１４  圧縮機
１５  凝縮器
１６  スロットルバルブ
１７  スロットルバルブ
１８  圧縮機
１９  バルブ
２０  バルブ
２２  蒸気蓄熱器
２３  バルブ
２４  バルブ
２５  アキュムレーター
２６  作動流体ポンプ
２７  第２吸着層
２８  バルブ
２９  バルブ
３０  バルブ
３１  バルブ
【図１】
2017516057.tif 000003
【図２】
2017516057.tif 000004
【図３】
2017516057.tif 000005
【図４】
2017516057.tif 000006
【図５】
2017516057.tif 000007
【図６】
2017516057.tif 000008
【図７】
2017516057.tif 000009
【図８】
2017516057.tif 000010
【図９】
2017516057.tif 000011
【図１０】
2017516057.tif 000012
【図１１】
2017516057.tif 000013
【図１２】
2017516057.tif 000014
【図１３】
2017516057.tif 000015
【図１４】
2017516057.tif 000016
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
熱圧縮式ヒートポンプ冷却循環の凝縮熱を利用して高温蒸気を作出し、熱圧縮式ヒートポンプ冷却循環の駆動熱源として、熱圧縮式ヒートポンプ冷却循環を駆動し、前記熱圧縮式ヒートポンプ冷却循環は吸収式ヒートポンプ冷却循環であり、前記吸収式ヒートポンプ冷却循環は、作動流体循環と溶液循環とから構成され、前記作動流体循環は、発生器（１）の冷却作動流体側と、蒸気圧縮機（２）と、発生器（１）の熱源側と、第１スロットルバルブ（３）と、蒸発器（４）と、低圧圧縮機（９）と、吸収器（５）と、溶液ポンプ（６）と、溶液熱交換器（７）と、発生器（１）冷却作動流体側とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項２に記載の自体駆動熱圧縮式ヒートポンプ冷却方法。
【請求項２】
熱圧縮式ヒートポンプ冷却循環の凝縮熱を利用して高温蒸気を作出し、熱圧縮式ヒートポンプ冷却循環の駆動熱源として、熱圧縮式ヒートポンプ冷却循環を駆動し、前記熱圧縮式ヒートポンプ冷却循環は、吸着式ヒートポンプ冷却循環であることを特徴とする自体駆動熱圧縮式ヒートポンプ冷却方法。
【請求項３】
前記ヒートポンプ冷却循環は、吸着層（１０）の冷却作動流体側と、蒸気圧縮機（２）と、吸着層（１０）の熱源側と、第１バルブ（１２）と、第１アキュムレーター（１１）と、第２バルブ（１３）と、第１スロットルバルブ（３）と、蒸発器（４）と、吸着層（１０）の冷却作動流体側とが、配管を介して順に連結されてループになり、前記ヒートポンプ冷却循環システムは、作動流体と、作動流体に対して吸着力を有する吸着剤とから構成された作動流体対とが設けられていることを特徴とする請求項２に記載の自体駆動熱圧縮式ヒートポンプ冷却方法。
【請求項４】
熱圧縮式ヒートポンプ冷却循環の凝縮熱を利用して高温蒸気を作出し、熱圧縮式ヒートポンプ冷却循環の駆動熱源として、熱圧縮式ヒートポンプ冷却循環を駆動し、前記熱圧縮式ヒートポンプ冷却循環は、駆動循環とヒートポンプ冷却循環とを、含むことを特徴とする自体駆動熱圧縮式ヒートポンプ冷却方法。
【請求項５】
前記駆動循環は、蒸発器（４）と、凝縮器（１５）と、蒸発器（４）とが、配管を介して順に連結されてループになり、前記駆動循環システムには、作動流体が設けられ、また前記ヒートポンプ冷却循環は、作動流体循環と溶液循環とから構成され、前記作動流体循環は、発生器（１）と、凝縮器（１５）と、作動流体ポンプ（２７）と、蒸発器（４）と、吸収器（５）と、溶液ポンプ（６）と、溶液熱交換器（７）と、発生器（１）とが、配管を介して順に連結されてループになり、また前記溶液循環は、発生器（１）と、溶液熱交換器（７）と、流体ポンプ（６）と、吸収器（５）と、溶液熱交換器（７）と、発生器（１）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項４に記載の自体駆動熱圧縮式ヒートポンプ冷却方法。
【請求項６】
前記駆動循環は、第１吸着層（１０）と、第２吸着層（２７）と、第１吸着層（１０）とが、配管を介して順に連結されてループになり、前記駆動循環システムには、作動流体が設けられており、前記ヒートポンプ冷却循環は、第１吸着層（１０）と、バルブ（２８）と、凝縮器（１５）と、作動流体ポンプ（２６）と、蒸発器（４）と、バルブ（３０）と、第２吸着層（２７）とが、配管を介して順に連結されることによって形成される経路と、第２吸着層（２７）と、バルブ（２９）と、凝縮器（１５）と、作動流体ポンプ（２６）と、蒸発器（４）と、バルブ（３１）と、第１吸着層（１０）とが、配管を介して順に連結されることによって形成される経路との二つの循環経路に分けられ、前記ヒートポンプ冷却循環システムには、作動流体と、作動流体に対して吸着力を有する吸着剤とから構成された作動流体対とが設けられ、また前記第１吸着層に一定量の作動流体が吸着されている吸着剤を充填し、前記第２吸着層に吸着された作動流体の量が少ない吸着剤を充填することを特徴とする請求項４に記載の自体駆動熱圧縮式ヒートポンプ冷却方法。
【請求項７】
前記駆動循環は、発生器（１）と、吸収器（５）と、発生器（１）とが、配管を介して順に連結されてループになり、前記駆動循環システムには、作動流体が設けられており、前記ヒートポンプ冷却循環は作動流体循環と溶液循環とから構成され、前記作動流体循環は、発生器（１）と、凝縮器（１５）と、スロットルバルブ（３）と、蒸発器（４）と、吸収器（５）と、溶液ポンプ（６）と、溶液熱交換器（７）と、発生器（１）とが、配管を介して順に連結されてループになり、前記溶液循環は、発生器（１）と、溶液熱交換器（７）と、吸収器（５）と、溶液ポンプ（６）と、溶液熱交換器（７）と、発生器（１）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項４に記載の自体駆動熱圧縮式ヒートポンプ冷却方法。
【請求項８】
前記駆動循環は、第１圧縮機（１４）と、発生器（１）と、第２スロットルバルブ（１６）と、凝縮器（１５）と、第１圧縮機（１４）とが、配管を介して連結されてループになり、また前記ヒートポンプ冷却循環は作動流体循環と溶液循環とから構成され、前記駆動循環システムには、作動流体が設けられており、前記作動流体循環は、発生器（１）と、凝縮器（１５）と、第１スロットルバルブ（３）と、蒸発器（４）と、吸収器（５）と、溶液ポンプ（６）と、溶液熱交換器（７）と、発生器（１）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項４に記載の自体駆動熱圧縮式ヒートポンプ冷却方法。
【請求項９】
前記駆動循環は、第１圧縮機（１４）と、発生精留器（８）と、第２スロットルバルブ（１６）と、凝縮器（１５）と、第１圧縮機（１４）とが、配管を介して順に連結されてループになり、前記駆動循環システムには、作動流体が設けられており、また前記ヒートポンプ冷却循環は、作動流体循環と溶液循環とから構成され、前記作動流体循環は、発生精留器（８）と、凝縮器（１５）と、第１スロットルバルブ（３）と、蒸発器（４）と、吸収器（５）と、溶液ポンプ（６）と、溶液熱交換器（７）と、発生精留器（８）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項４に記載の自体駆動熱圧縮式ヒートポンプ冷却方法。
【請求項１０】
前記駆動循環は、第１圧縮機（１４）と、発生器（１）と、第２スロットルバルブ（１６）と、凝縮器（１５）と、第１圧縮機（１４）とが、配管を介して順に連結されてループになり、前記駆動循環システムには、作動流体が設けられており、また前記ヒートポンプ冷却循環は、作動流体循環と溶液循環とから構成され、前記作動流体循環は、発生器（１）と、凝縮器（１５）と、第１スロットルバルブ（３）と、蒸発器（４）と、低圧圧縮機（９）と、吸収器（５）と、溶液ポンプ（６）と、溶液熱交換器（７）と、発生器（１）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とｌから構成された作動流体対溶液とが設けられていることを特徴とする請求項４に記載の自体駆動熱圧縮式ヒートポンプ冷却方法。 
【請求項１１】
前記駆動循環は、第１圧縮機（１４）と、凝縮器として用いられる吸着層（１０）と、第２スロットルバルブ（１６）と、蒸発器として用いられる凝縮器（１５）と、第１圧縮機（１４）とが、配管を介して順に連結されてループになり、前記駆動循環システムには、作動流体が設けられており、前記ヒートポンプ冷却循環は、吸着層（１０）と、凝縮器（１５）と、第１バルブ（１２）と、第１アキュムレーター（１１）と、第２バルブ（１３）と、第１スロットルバルブ（３）と、蒸発器（４）と、吸着層（１０）とが、配管を介して順に連結されてループになり、前記ヒートポンプ冷却循環システムには、作動流体と、作動流体に対して吸着力を有する吸着剤とから構成された作動流体対とが設けられていることを特徴とする請求項４に記載の自体駆動熱圧縮式ヒートポンプ冷却方法。
【請求項１２】
前記駆動循環は、第２圧縮機（１８）と、凝縮器として用いられる発生器（１）と、第３スロットルバルブ（１７）と、蒸発器として用いられる吸収器（５）と、第２圧縮機（１８）とが、配管を介して順に連結されてループになり、前記駆動循環システムには、作動流体が設けられており、また前記ヒートポンプ冷却循環は、作動流体循環と溶液循環とから構成され、前記作動流体循環は、発生器（１）と、凝縮器（１５）と、第１スロットルバルブ（３）と、蒸発器（４）と、吸収器（５）と、溶液ポンプ（６）と、溶液熱交換器（７）と、発生器（１）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項４に記載の自体駆動熱圧縮式ヒートポンプ冷却方法。
【請求項１３】
前記駆動循環は、第２圧縮機（１８）と、凝縮器として用いられる発生精留器（８）と、第３スロットルバルブ（１７）と、蒸発器として用いられる吸収器（５）と、第２圧縮機（１８）とが、配管を介して順に連結されてループになり、前記駆動循環システムには、作動流体が設けられ、前記ヒートポンプ冷却循環は、作動流体循環と溶液循環とから構成され、前記作動流体循環は、発生精留器（８）と、凝縮器（１５）と、第１ スロットルバルブ（３）と、蒸発器（４）と、吸収器（５）と、溶液ポンプ（６）と、溶液熱交換器（７）と、発生精留器（８）とが、配管を介して順に連結されてループになり、前記溶液循環は、吸収器（５）と、溶液ポンプ（６）と、溶液熱交換器（７）と、発生器（１）と、溶液熱交換器（７）と、吸収器（５）とが、配管を介して順に連結されてループになり、前記ヒートポンプ冷却循環システムには、冷却作動流体と、冷却作動流体における溶解度がかなり大きい物質とから構成された作動流体対溶液とが設けられていることを特徴とする請求項４に記載の自体駆動熱圧縮式ヒートポンプ冷却方法。
【請求項１４】
前記駆動循環は、第２圧縮機（１８）と、蒸気蓄熱器（２２）と、第３バルブ（２３）と、凝縮器として用いられる吸着層（１０）と、第４バルブ（１９）と、第２アキュムレーター（２５）と、第５バルブ（２４）と、第３スロットルバルブ（１７）と、蒸発器として用いられる吸着層（１０）と、第６バルブ（２０）と、第２圧縮機（１８）とが、配管を介して順に連結されてループになり、前記駆動循環システムには、作動流体が設けられており、前記ヒートポンプ冷却循環は、吸着層（１０）と、凝縮器（１５）と、第１バルブ（１２）と、第１アキュムレーター（１１）と、第２バルブ（１３）と、第１スロットルバルブ（３）と、蒸発器（４）と、吸着層（１０）とが、配管を介して順に連結されてループになり、前記ヒートポンプ冷却循環システムには、作動流体と、作動流体に対して吸着力を有する吸着剤とから構成された作動流体対とが設けられていることを特徴とする請求項４に記載の自体駆動熱圧縮式ヒートポンプ冷却方法。
【国際調査報告】
2017516057.tif 000017
2017516057.tif 000018
2017516057.tif 000019
2017516057.tif 000020
2017516057.tif 000021
2017516057.tif 000022